(57)【要約】【課題】費用負担を抑えながら、適用範囲を広くでき、大量生産可能なワイヤーハーネス外装体を得る。【解決手段】ワイヤーハーネス外装体５の主要部となる本体部１は長手方向に沿って形成され、内部にワイヤーハーネスを配置可能なワイヤーハーネス収納領域６を有している。ワイヤーハーネス収納領域６にワイヤーハーネスを配置することにより、本体部１はワイヤーハーネスの外周を覆って保護することができる。本体部１は上記長手方向に沿って形成されたスリット２を有している。このスリット２を介してワイヤーハーネスの少なくとも一部をワイヤーハーネス収納領域６内に収納することができる。本体部１は不織布が加熱成型されることにより形成される。【選択図】図１
2014006999.tif 000002
【特許請求の範囲】
【請求項１】
ワイヤーハーネスを保護するワイヤーハーネス外装体であって、
長手方向に沿って形成され、前記ワイヤーハーネスの外周を覆って保護可能なワイヤーハーネス収納領域を内部に有する本体部と、
前記長手方向に沿って前記本体部に形成されたスリットとを備え、
前記本体部は不織布が加熱成型されることにより形成され、前記スリットを介して前記ワイヤーハーネスの少なくとも一部を前記ワイヤーハーネス収納領域に配置可能であることを特徴とする、
ワイヤーハーネス外装体。
【請求項２】
ワイヤーハーネスと、
請求項１記載のワイヤーハーネス外装体とを備え、前記ワイヤーハーネスは、その中心領域が前記ワイヤーハーネス収納領域に配置された状態で前記ワイヤーハーネス外装体によって保護されるとともに、その両端部領域が前記ワイヤーハーネス外装体の外部に配置され、
前記ワイヤーハーネス外装体及び前記ワイヤーハーネスの前記両端部領域を外周に沿って巻きつけることにより、前記ワイヤーハーネスを前記ワイヤーハーネス外装体に固定する固定用テープをさらに備える、
ワイヤーハーネス保護構造。
【発明の詳細な説明】
【技術分野】
【０００１】
この発明は、ワイヤーハーネスを保護するワイヤーハーネス外装体及びワイヤーハーネス保護構造に関する。
【背景技術】
【０００２】
電線束からなるワイヤーハーネスの外周に装着され、ワイヤーハーネスを保護するワイヤーハーネス外装体として不織布（シンプル３Ｄ）を用いたワイヤーハーネス外装体が考えられる。このような不織布を用いたワイヤーハーネス外装体として、例えば特許文献１で開示された電線保護構造部がある。
【０００３】
図３は不織布を用いた従来のワイヤーハーネス外装体２０によってワイヤーハーネス１０を保護したワイヤーハーネス外装構造を示す説明図である。
【０００４】
同図に示すように、長手方向に延びて形成されるワイヤーハーネス外装体２０の中心領域の外周にワイヤーハーネス外装体２０が装着されている。なお、図３ではワイヤーハーネス外装体２０の外部に存在するワイヤーハーネス１０の両端部の電線束が分散しないように固定用テープ１１によって固定されている。
【０００５】
ワイヤーハーネス外装体２０は、例えば、シート状の不織材料を保護対象のワイヤーハーネス１０に巻きつけてワイヤーハーネス１０を覆った後、シート状の不織材料を、加熱及び圧縮（ホットプレス）して成形した後、冷却することより得られる。
【０００６】
図４はワイヤーハーネス外装体の使用例を模試的に示す説明図である。同図に示すように、コルゲートチューブ等の他の部材を用いて保護される連結ワイヤーハーネス群３１，３２等に混在する形で、着目領域Ｒ１及びＲ２にワイヤーハーネス外装体２１及び２２が選択的に用いられる。なお、３０はワイヤーハーネス間を連結するコネクタである。
【先行技術文献】
【特許文献】
【０００７】
【特許文献１】特開２０１２−９４３２７号公報
【発明の概要】
【発明が解決しようとする課題】
【０００８】
従来のワイヤーハーネス外装体２０は以上のように構成されており、製造段階において、シート状の不織布（不織材料）を保護対象のワイヤーハーネス１０に巻きつける必要があったため、以下で述べる４つの問題点が生じる。
【０００９】
(1)製造後のワイヤーハーネス外装体２０に成型不良が発生した場合、ワイヤーハーネス外装体２０が巻き付いた保護対象のワイヤーハーネス外装体２０をも廃棄しなければならず、その分、費用負担が増大するという問題点があった。
【００１０】
(2)仮結束後の状態のワイヤーハーネスに対して製造する、実際に使用される設備条件を考慮する等の制約から、比較的形成長が短いワイヤーハーネス外装体２０しか製造することができず、適用範囲が狭いという問題点があった。
【００１１】
(3)ワイヤーハーネス外装体２０は保護対象のワイヤーハーネス１０の径に対して、シート状の不織布のサイズ（幅）が決まってしまう。したがって、ワイヤーハーネス１０の仕様変更があった場合、不織布のサイズの変更や成型用の金型の種別変更を行う必要があるため、ワイヤーハーネス１０の仕様変更への対応が困難であるという問題点があった。なぜなら、不織布のサイズ変更、成型用の金型の変更に要する手間及びコストの増加を招いてしまうからである。
【００１２】
(4)原則、保護対象となるワイヤーハーネスに対する一品仕様となるため、大量生産ができず、ワイヤーハーネス外装体２０の製造に時間を要してしまうという問題点があった。
【００１３】
この発明は上記問題点(1)〜(4)を解決するためになされたもので、少なくとも、費用負担を抑えながら、適用範囲を広くでき、大量生産可能なワイヤーハーネス外装体及びワイヤーハーネス保護構造を得ることを目的とする。
【課題を解決するための手段】
【００１４】
この発明に係る請求項１記載のワイヤーハーネス外装体は、ワイヤーハーネスを保護するワイヤーハーネス外装体であって、長手方向に沿って形成され、前記ワイヤーハーネスの外周を覆って保護可能なワイヤーハーネス収納領域を内部に有する本体部と、前記長手方向に沿って前記本体部に形成されたスリットとを備え、前記本体部は不織布が加熱成型されることにより形成され、前記スリットを介して前記ワイヤーハーネスの少なくとも一部を前記ワイヤーハーネス収納領域に配置可能であることを特徴とする。
【００１５】
この発明に係る請求項２記載のワイヤーハーネス保護構造は、ワイヤーハーネスと、請求項１記載のワイヤーハーネス外装体とを備え、前記ワイヤーハーネスは、その中心領域が前記ワイヤーハーネス収納領域に配置された状態で前記ワイヤーハーネス外装体によって保護されるとともに、その両端部領域が前記ワイヤーハーネス外装体の外部に配置され、前記ワイヤーハーネス外装体及び前記ワイヤーハーネスの前記両端部領域を外周に沿って巻きつけることにより、前記ワイヤーハーネスを前記ワイヤーハーネス外装体に固定する固定用テープをさらに備える。
【発明の効果】
【００１６】
この発明における請求項１記載の本願発明であるワイヤーハーネス外装体は、本体部は不織布が加熱成型されることにより形成され、スリットを介してワイヤーハーネスの少なくとも一部をワイヤーハーネス収納領域に配置可能にしている。したがたって、請求項１記載の本願発明は、完成後にワイヤーハーネスをワイヤーハーネス収納領域に配置して保護することができるため、その適用箇所を広げることができる。
【００１７】
加えて、ワイヤーハーネス外装体に成型不良が発生しても、この段階ではワイヤーハーネスに装着されていないため、保護対象のワイヤーハーネスを併せて廃棄する必要がなくなる分、費用負担の低減を図ることができる。
【００１８】
さらに、請求項１記載の本願発明のワイヤーハーネス外装体はワイヤーハーネスとは完全に独立して製造することができるため、大量生産が可能となり、製造コストの低減化を図ることができる。
【００１９】
請求項２記載の本願発明のワイヤーハーネス保護構造において、ワイヤーハーネスの収納後にワイヤーハーネス外装体のスリットが多少縮められたり拡げられたりしても、ワイヤーハーネス外装体の外周に沿って巻きつけられた固定用テープによって、ワイヤーハーネスをワイヤーハーネス収納領域内に透き間無く配置しながら、ワイヤーハーネス外装体に安定性良く固定することができる。
【００２０】
その結果、請求項２記載の本願発明は、スリット及び固定用テープの組合せにより、ワイヤーハーネスの保護機能を損ねることなく、ワイヤーハーネス収納領域に配置して保護可能なワイヤーハーネスの範囲を拡げることにより、汎用性を高めることができる。
【図面の簡単な説明】
【００２１】
【図１】本実施の形態のワイヤーハーネス外装体の構造を示す説明図である。
【図２】本実施の形態のワイヤーハーネス外装体を用いてワイヤーハーネス１０を保護するワイヤーハーネス保護構造を示す説明図である。
【図３】従来の不織布を用いたワイヤーハーネス保護構造を示す説明図である。
【図４】従来のワイヤーハーネス外装体の使用例を模試的に示す説明図である。
【発明を実施するための形態】
【００２２】
図１はこの発明の実施の形態であるワイヤーハーネス外装体５の構造を示す説明図である。同図(a)は全体構造を示す斜視図、同図(b)はワイヤーハーネス外装体５の形成方向である長手方向に垂直な方向における断面構造を示す断面図、同図(c)は同図(b)のＡ−Ａ断面を示す断面図、すなわち、上記長手方向に沿ってスリット２形成部分を切断とした際の断面構造を示す断面図である。
【００２３】
同図(a)，(c)に示すように、ワイヤーハーネス外装体５の主要部となる本体部１は長手方向に沿って形成され、同図(b)，(c)に示すように、内部にワイヤーハーネスを配置可能なワイヤーハーネス収納領域６を有している。ワイヤーハーネス収納領域６にワイヤーハーネスを配置することにより、本体部１はワイヤーハーネスの外周を覆って保護することができる。
【００２４】
さらに、本体部１は上記長手方向に沿って形成されたスリット２を有している。このスリット２を介してワイヤーハーネスの少なくとも一部をワイヤーハーネス収納領域６内に収納することができる。
【００２５】
本体部１は不織布（不織材料）が加熱成型（ホットプレス）されることにより形成されている。ワイヤーハーネス外装体５は例えば以下のステップ（イ）〜（ハ）を実行することにより製造することができる。
【００２６】
（イ）まず、ダミー線やパイプなどの芯材にシート状の不織布（不織材料）を巻きつけた後、加熱成型（ホットプレス）することよりチューブ状の構造である本体部１を得る。
【００２７】
（ロ）その後、芯材を除去する。
【００２８】
（ハ）そして、カッター等を用いて上記チューブ構造の外周の一部を長手方向に沿って、一方端から他方端にかけて切断することにより、チューブ状の構造であった本体部１にスリット２を設ける。
【００２９】
その結果、図１で示す、本体部１及びスリット２からなるワイヤーハーネス外装体５が完成する。なお、ステップ（ロ）は、ステップ（ハ）の実行後に行っても良い。また、ステップ（イ）で得られるチューブ状の構造は一体構造であるため、加熱成型用の金型は一つで済ますことができる。
【００３０】
このように、本実施の形態のワイヤーハーネス外装体５において、本体部１は不織布が加熱成型されることにより形成され、スリット２を介してワイヤーハーネスの少なくとも一部をワイヤーハーネス収納領域に配置可能にしている。したがたって、本実施の形態のワイヤーハーネス外装体５は、完成後にワイヤーハーネスをワイヤーハーネス収納領域６内に配置して保護することができるため、その適用範囲を広げることができる。
【００３１】
したがって、比較的形成長が長いワイヤーハーネス外装体５を形成することができ、仮結束を行う必要がなく、実際に仕様される設備条件などを考慮する必要もない。
【００３２】
加えて、ワイヤーハーネス外装体５に成型不良が発生しても、この段階ではワイヤーハーネスに装着されていないため、保護対象のワイヤーハーネスを併せて廃棄する必要がなくなる分、費用負担の低減を図ることができる。
【００３３】
さらに、本実施の形態のワイヤーハーネス外装体５はワイヤーハーネスとは完全に独立して製造することができるため、大量生産が可能となり、製造コストの低減化を図ることができる。
【００３４】
（ワイヤーハーネス保護構造）
図２は本実施の形態のワイヤーハーネス外装体５によるワイヤーハーネス保護構造を示す説明図である。同図(a)が斜視図、同図(b)が一部を上記長手方向に沿った断面図として示す斜視・断面図である。
【００３５】
同図に示すように、ワイヤーハーネス保護構造８は、ワイヤーハーネス１０、ワイヤーハーネス外装体５及び固定用テープ１１から構成される。
【００３６】
ワイヤーハーネス１０は、その中心領域ＲＣがワイヤーハーネス収納領域６に配置された状態でその外周を本体部１で覆われることによりワイヤーハーネス外装体５によって保護される。そして、ワイヤーハーネス１０の両端の端部領域ＲＥ１，ＲＥ２がそれぞれワイヤーハーネス外装体５の外部に配置される。
【００３７】
なお、ワイヤーハーネス１０の中心領域ＲＣのワイヤーハーネス外装体５のワイヤーハーネス外装体５への装着は、スリット２を拡げながらスリット２を介して行うことができるため、専用の治具等を用いて比較的容易に行うことができる。
【００３８】
固定用テープ１１はワイヤーハーネス外装体５及びワイヤーハーネス１０の両端における端部領域ＲＥ１，ＲＥ２の外周に沿って巻きつけられることにより、中心領域ＲＣにおけるワイヤーハーネス１０と本体部１との密着性を高めながら、ワイヤーハーネス１０をワイヤーハーネス外装体５に固定している。
【００３９】
図２で示したワイヤーハーネス保護構造において、ワイヤーハーネス１０の収納後にワイヤーハーネス外装体５のスリット２が多少縮められたり拡げられたりしても、本体部１の外周に沿って巻きつけられた固定用テープ１１によって、ワイヤーハーネス１０をワイヤーハーネス収納領域６内に透き間無く配置しながら、ワイヤーハーネス外装体５に安定性良く固定することができる。
【００４０】
その結果、本実施の形態のワイヤーハーネス保護構造は、スリット２及び固定用テープ１１の組合せにより、ワイヤーハーネス１０の保護機能を損ねることなく、ワイヤーハーネス収納領域６に配置して保護可能なワイヤーハーネスの範囲を拡げることにより、汎用性を高めることができる。このように、本実施の形態のワイヤーハーネス外装体５は、ワイヤーハーネス１０の仕様変更に柔軟に対応することができる。
【００４１】
また、本体部１は不織布の加熱成型により得られているため、ワイヤーハーネス収納領域６を形成する内面は比較的柔らかである。したがって、ワイヤーハーネス収納領域６内に配置するワイヤーハーネス１０を傷つけることもない。
【００４２】
なお、本発明は、その発明の範囲内において、実施の形態を適宜、変形、省略することが可能である。
【符号の説明】
【００４３】
１  本体部
２  スリット
５  ワイヤーハーネス外装体
６  ワイヤーハーネス収納領域
８  ワイヤーハーネス保護構造
１０  ワイヤーハーネス
１１  固定用テープ
【図１】
2014006999.tif 000003
【図２】
2014006999.tif 000004
【図３】
2014006999.tif 000005
【図４】
2014006999.tif 000006